(57)【要約】【課題】溶接作業の負荷低減に資する技術を提供すること。【解決手段】上層の軽量気泡コンクリートパネル１の下部にイナズマプレート１２を締結し、下層の軽量気泡コンクリートパネル１の上部に短冊プレート１４を締結する。そして、下層の軽量気泡コンクリートパネル１に締結された短冊プレート１４をＬ字型定規アングル４に当接させて仮固定し、当該短冊プレート１４をＬ字型定規アングル４との間で挟み込むように自重受けプレート１６をＬ字型定規アングル４に溶接固定する。次に、上層の軽量気泡コンクリートパネル１の下方の短辺小口面を自重受けプレート１６に当接させ、当該上層の軽量気泡コンクリートパネル１とイナズマプレート１２とでＬ字型定規アングル４を挟み込む。最後に、イナズマプレート１２側から短冊プレート１４までビス１８を貫通固定させる。【選択図】図２
2015232219.tif 000002
【特許請求の範囲】
【請求項１】
上層軽量気泡コンクリートパネルの下方の短辺小口面および下層軽量気泡コンクリートパネルの上方の短辺小口面を対向させた状態で、取付金具を用いて前記上層および下層軽量気泡コンクリートパネルを建物躯体に取り付ける軽量気泡コンクリートパネルの取付構造であって、
前記取付金具は、
前記上層軽量気泡コンクリートパネルの下部に取り付けられるイナズマプレートと、
前記下層軽量気泡コンクリートパネルの上部に取り付けられる取付プレートと、
前記上層軽量気泡コンクリートパネルの重量を支えるよう構成された自重受けプレートとを備えており、
前記建物躯体には、下地鋼材が固定されており、
前記下地鋼材に前記取付プレートが当接するよう前記下層軽量気泡コンクリートパネルを設置し、前記取付プレートが当接された位置における前記下地鋼材を前記上層軽量気泡コンクリートパネルと前記イナズマプレートとの間で挟持すると共に、前記下方の短辺小口面が前記自重受けプレートに当接するよう前記上層軽量気泡コンクリートパネルを設置した状態で、前記イナズマプレート、前記下地鋼材および前記取付プレートを貫通するネジ部材により該イナズマプレートおよび該取付プレートを該下地鋼材に締結することによって、該下地鋼材を介して前記上層および下層軽量気泡コンクリートパネルを前記建物躯体に取り付ける軽量気泡コンクリートパネルの取付構造。
【請求項２】
前記ネジ部材は、頭部と、ネジ部を有する軸部と、を備えており、
前記取付プレートには、前記頭部または前記軸部の先端部を収納可能な凹部が構成されている請求項１に記載の軽量気泡コンクリートパネルの取付構造。
【請求項３】
前記取付プレートは、長手方向を有しており、
前記取付プレートの前記長手方向に直交する断面形状がハット形に形成されることにより前記凹部が構成されており、
該凹部が前記下層軽量気泡コンクリートパネル側を向くように前記下層軽量気泡コンクリートパネルに前記取付プレートが取り付けられている請求項２に記載の軽量気泡コンクリートパネルの取付構造。
【請求項４】
前記取付プレートは、長手方向を有しており、
前記取付プレートの前記長手方向に直交する断面形状が扁平逆Ｃ字形に形成されることにより前記凹部が構成されており、
該凹部が前記下層軽量気泡コンクリートパネル側を向くように前記下層軽量気泡コンクリートパネルに前記取付プレートが取り付けられている請求項２に記載の軽量気泡コンクリートパネルの取付構造。
【請求項５】
前記自重受けプレートは、前記取付プレートと一体に構成されている請求項１ないし４のいずれか１項に記載の軽量気泡コンクリートパネルの取付構造。
【請求項６】
前記取付プレートを前記下地鋼材に仮止め可能な仮止め部材をさらに備えており、
前記イナズマプレートは、前記上層軽量気泡コンクリートパネルとの間に前記下地鋼材を挟持した状態において、前記仮止め部材を収容可能に構成されている請求項５に記載の軽量気泡コンクリートパネルの取付構造。
【発明の詳細な説明】
【技術分野】
【０００１】
本発明は、上層軽量気泡コンクリートパネルの下方の短辺小口面および下層軽量気泡コンクリートパネルの上方の短辺小口面を対向させた状態で、取付金具を用いて上層および下層軽量気泡コンクリートパネルを建物躯体に取り付ける軽量気泡コンクリートパネルの取付構造に関する。
【背景技術】
【０００２】
特開平１１−２５６７３７号公報（特許文献１）には、複数枚の軽量気泡コンクリートパネルの各短辺小口面同士を対向させた上下段積み状態で、取付金具を用いて当該複数枚の軽量気泡コンクリートパネルをＨ形鉄骨梁に取り付け固定する軽量気泡コンクリートパネルの取付構造が記載されている。
【０００３】
当該軽量気泡コンクリートパネルの取付構造では、Ｈ形鉄骨梁に下地鋼材が溶接固定されており、上側に配置される軽量気泡コンクリートパネルはイナズマプレートによって下地鋼材に取り付け固定され、下側に配置される軽量気泡コンクリートパネルは取付プレートによって下地鋼材に取り付け固定される。即ち、上側に配置される軽量気泡コンクリートパネルを下地鋼材に取り付けるための取付金具と、下側に配置される軽量気泡コンクリートパネルを下地鋼材に取り付けるための取付金具と、が別物として構成されているため、上下の軽量気泡コンクリートパネルの取り付け位置にずれが生じた場合でも位置調整を容易に行え、作業性が向上する。
【先行技術文献】
【特許文献】
【０００４】
【特許文献１】特開平１１−２５６７３７号公報
【発明の概要】
【発明が解決しようとする課題】
【０００５】
しかしながら、上述した軽量気泡コンクリートパネルの取付構造では、各取付金具それぞれを下地鋼材に溶接固定する必要が生じる。具体的には、イナズマプレートと下地鋼材との間、取付プレートと下地鋼材との間、および、自重受けプレートと下地鋼材との間で溶接固定が必要となる。溶接作業には、作業者の資格や熟練度が要求されるばかりでなく溶接設備も必要となるため、当該溶接作業は少ない方が望ましく、溶接作業の負荷低減という点において、なお改良の余地がある。
【０００６】
本発明は、上記に鑑みてなされたものであり、軽量気泡コンクリートパネルを建物躯体に取り付ける際の溶接作業の負荷低減に資する技術を提供することを目的とする。
【課題を解決するための手段】
【０００７】
本発明の軽量気泡コンクリートパネルの取付構造は、上述の目的を達成するために以下の手段を採った。
【０００８】
本発明に係る軽量気泡コンクリートパネルの取付構造の好ましい形態によれば、上層軽量気泡コンクリートパネルの下方の短辺小口面および下層軽量気泡コンクリートパネルの上方の短辺小口面を対向させた状態で、取付金具を用いて前記上層および下層軽量気泡コンクリートパネルを建物躯体に取り付ける軽量気泡コンクリートパネルの取付構造が構成される。取付金具は、上層軽量気泡コンクリートパネルの下部に取り付けられるイナズマプレートと、下層軽量気泡コンクリートパネルの上部に取り付けられる取付プレートと、上層軽量気泡コンクリートパネルの重量を支えるように構成された自重受けプレートと、を備えている。また、建物躯体には、下地鋼材が固定されている。そして、下地鋼材に取付プレートが当接するよう下層軽量気泡コンクリートパネルを設置し、取付プレートが当接された位置における下地鋼材が上層軽量気泡コンクリートパネルとイナズマプレートとの間で挟持されると共に、下方の短辺小口面が自重受けプレートに当接するよう上層軽量気泡コンクリートパネルを設置した状態で、イナズマプレート、下地鋼材および取付プレートを貫通するネジ部材によりイナズマプレートおよび取付プレートを下地鋼材に締結する。これにより、下地鋼材を介して上層および下層軽量気泡コンクリートパネルを建物躯体に取り付ける。
【０００９】
また、本発明に係る軽量気泡コンクリートパネルの取付構造の更なる形態によれば、ネジ部材は、頭部と、ネジ部を有する軸部と、を備えている。そして、取付プレートには、頭部または軸部の先端部を収納可能な凹部が構成されている。ここで、本発明における「頭部または軸部の先端部を収納可能な凹部」とは、典型的には、頭部または軸部の先端部の全部を収納する凹部が該当するが、頭部または軸部の先端部の一部を収納する凹部を好適に包含する。
【００１０】
また、本発明に係る軽量気泡コンクリートパネルの取付構造の更なる形態によれば、取付プレートは、長手方向を有している。取付プレートの長手方向に直交する断面形状がハット形に形成されることにより凹部が構成されている。そして、凹部が下層軽量気泡コンクリートパネル側を向くように下層軽量気泡コンクリートパネルに取付プレートが取り付けられている。
【００１１】
また、本発明に係る軽量気泡コンクリートパネルの取付構造の更なる形態によれば、取付プレートは、長手方向を有している。取付プレートの長手方向に直交する断面形状が扁平逆Ｃ字形に形成されることにより凹部が構成されている。そして、凹部が下層軽量気泡コンクリートパネル側を向くように下層軽量気泡コンクリートパネルに取付プレートが取り付けられている。
【００１２】
また、本発明に係る軽量気泡コンクリートパネルの取付構造の更なる形態によれば、自重受けプレートは、取付プレートに一体に構成されている。ここで、本発明に終える「一体に構成されている」とは、自重受けプレートが取付プレートに一体成形される態様の他、自重受けプレートと取付プレートとを別体で成形した後、一体にする態様を好適に包含する。
【００１３】
さらに、本発明に係る軽量気泡コンクリートパネルの取付構造の更なる形態によれば、取付プレートを下地鋼材に仮止め可能な仮止め部材をさらに備えている。そして、イナズマプレートは、上層軽量気泡コンクリートパネルとの間に下地鋼材を挟持した状態において、仮止め部材を収容可能に構成されている
【発明の効果】
【００１４】
本発明によれば、軽量気泡コンクリートパネルを建物躯体に取り付ける際の溶接作業の負荷低減に資する技術を提供することができる。
【図面の簡単な説明】
【００１５】
【図１】本発明の実施の形態に係る軽量気泡コンクリートパネルの取付構造を用いて軽量気泡コンクリートパネル１をＬ字型定規アングル４を介して鉄骨梁２に取り付けた状態を一部断面で示す斜視断面図である。
【図２】本発明の実施の形態に係る軽量気泡コンクリートパネルの取付構造を用いて軽量気泡コンクリートパネル１をＬ字型定規アングル４を介して鉄骨梁２に取り付けた状態を示す側面図である。
【図３】取付金具１０のＬ字型定規アングル４への取付状態を示す要部拡大斜視図である。
【図４】図３のＡ−Ａ断面を示す断面図である。
【図５】変形例の取付金具１１０により軽量気泡コンクリートパネル１をＬ字型定規アングル４を介して鉄骨梁２に取り付けた状態を示す側面図である。
【図６】変形例のイナズマプレート１１２を用いた取付金具１１０のＬ字型定規アングル２への取付状態を示す要部拡大斜視図である。
【図７】変形例の短冊プレート２１４を用いた取付金具２１０のＬ字型定規アングル４への取付状態を示す要部拡大斜視図である。
【図８】変形例の短冊プレート３１４を用いた取付金具３１０のＬ字型定規アングル４への取付状態を示す要部拡大斜視図である。
【図９】変形例の短冊プレート４１４を用いた取付金具４１０のＬ字型定規アングル４への取付状態を示す要部拡大斜視図である。
【発明を実施するための形態】
【００１６】
次に、本発明を実施するための形態を実施例を用いて説明する。
【００１７】
本発明の実施の形態に係る軽量気泡コンクリートパネルの取付構造は、例えば、軽量気泡コンクリートパネル１の短辺小口面同士を対向させた上下段積み状態（縦壁構法）で、当該軽量気泡コンクリートパネル１を鉄骨梁２に取り付ける際に用いられる構造であり、図１および図２に示すように、取付金具１０を用いてＬ字型定規アングル４を介して軽量気泡コンクリートパネル１を鉄骨梁２に取り付ける。なお、本実施の形態では、便宜上、図１および図２中の上方を「上側」ないし「上方側」と規定し、下方を「下側」ないし「下方側」と規定する。鉄骨梁２は、本発明における「建物躯体」に対応し、Ｌ字型定規アングル４は、本発明における「下地鋼材」に対応する実施構成の一例である。
【００１８】
取付金具１０は、図３に示すように、イナズマプレート１２と、短冊プレート１４と、自重受けプレート１６と、ビス１８と、から構成されている。短冊プレート１４は、本発明における「取付プレート」に対応する実施構成の一例である。また、ビス１８は、本発明における「ネジ部材」に対応する実施構成の一例である。
【００１９】
イナズマプレート１２は、図４に示すように、長手方向を有する平板により構成されており、長手方向に段差部を介して互いに平行に連続して構成された第１部分２２および第２部分２４を備えている。第１部分２２の幅方向（図３の左右方向）のほぼ中央部には、長手方向に沿う長孔２２ａが形成されている。イナズマプレート１２は、図２に示すように、長孔２２ａに挿通されるボルトＢＬＴ１によって、軽量気泡コンクリートパネル１の下方の部分に締結される。
【００２０】
短冊プレート１４は、図３および図４に示すように、長手方向を有する平板として構成されている。短冊プレート１４の長手方向の一端寄りで、かつ、幅方向（図３の左右方向）のほぼ中央部には、長手方向に沿う長孔１４ａが形成されている。短冊プレート１４は、図２に示すように、長孔１４ａに挿通されるボルトＢＬＴ２によって、軽量気泡コンクリートパネル１の上方の部分に締結される。
【００２１】
自重受けプレート１６は、図２および図３に示すように、側面視においてＬ字を横にした形状に構成されており、軽量気泡コンクリートパネル１の短辺小口面が当接される当接部３２と、当該当接部３２をＬ字型定規アングル４に取り付けるための取付部３４，３５と、を備えている。
【００２２】
当接部３２は、図２および図３に示すように、平面視長方形状を有する平板として構成されている。取付部３４，３５は、当接部３２に対して直角となるように当接部３２の一方の長辺小口面に一体に設けられている。また、取付部３４は当接部３２の長手方向一端側に設けられており、取付部３５は当接部３２の長手方向他端側に設けられている。
【００２３】
即ち、取付部３４，３５は、図３に示すように、当接部３２の長手方向に互いに離間した状態で設けられている。これにより、当接部３２がＬ字型定規アングル４に直角となるように取付部３４，３５によってＬ字型定規アングル４に取り付けられると、当接部３２の長辺小口面と、取付部３４，３５の長辺小口面と、Ｌ字型定規アングル４の取付部３４，３５の取付面と、によって平面視長方形状の透孔が形成される。
【００２４】
なお、取付部３４，３５の離間距離は、短冊プレート１４の幅方向（図３の左右方向）寸法よりも大きく形成されており、取付部３４，３５の板厚は、短冊プレート１４の板厚よりも若干大きく形成されている。即ち、透孔は、短冊プレート１４が挿通可能な大きさに構成されている。
【００２５】
ビス１８は、タッピングビスとして構成されており、図３に示すように、頭部１８ａと、当該頭部１８ａに一体に接続されたネジ部１８ｂと、当該ネジ部１８ｂに一体に接続された切刃部１８ｃと、を備えている。ネジ部１８ｂおよび切刃部１８ｃは、本発明における「軸部」に対応する実施構成の一例である。
【００２６】
ネジ部１８ｂは、被締結部材にタップ加工を施工できるように構成されている。切刃部１８ｃは、ネジ部１８ｂが進入するための下孔を被締結部材に形成できるように構成されている。
【００２７】
次に、こうして構成された取付金具１０を用いて軽量気泡コンクリートパネル１を鉄骨梁２に取り付ける際の様子について説明する。なお、説明の便宜上、上下段積み状態とされる軽量気泡コンクリートパネル１のうち上方に配置される軽量気泡コンクリートパネル１を上層軽量気泡コンクリートパネル１と称し、下方に配置される軽量気泡コンクリートパネル１を下層軽量気泡コンクリートパネル１と称する。
【００２８】
まず、鉄骨梁２の上面にＬ字型定規アングル４を溶接固定する。また、ボルトＢＬＴ１によって上層軽量気泡コンクリートパネル１の下方の部分にイナズマプレート１２を仮締めすると共に、ボルトＢＬＴ２によって下層軽量気泡コンクリートパネル１の上方の部分に短冊プレート１４を取り付け固定する。
【００２９】
短冊プレート１４は、長孔１４ａが形成された長手方向一端側とは反対側の長手方向他端側が、下層軽量気泡コンクリートパネル１の上方の短辺小口面側に配置されるように締結される。
【００３０】
そして、図２に示すように、短冊プレート１４がＬ字型定規アングル４に当接するように下層軽量気泡コンクリートパネル１を設置する。
【００３１】
続いて、短冊プレート１４をＬ字型定規アングル４との間で挟み込むように自重受けプレート１６をＬ字型定規アングル４に溶接固定する。このとき、短冊プレート１４は、自重受けプレート１６とＬ字型定規アングル４とで構成される透孔内に配置されている。
【００３２】
次に、イナズマプレート１２が締結された側の短辺小口面が自重受けプレート１６の当接部３２に当接するように上層軽量気泡コンクリートパネル１を設置する。当該状態でＬ字型定規アングル４が当該上層軽量気泡コンクリートパネル１とイナズマプレート１２との間に挟持されるようにイナズマプレート１２を設置し、ボルトＢＬＴ１の本締めを行う。
【００３３】
最後に、ビス１８をイナズマプレート１２側からねじ込み、イナズマプレート１２、Ｌ字型定規アングル４および短冊プレート１４の共締めを行う。これにより、Ｌ字型定規アングル４を介した上層および下層軽量気泡コンクリートパネル１の鉄骨梁２への取り付け作業が完了する。
【００３４】
以上説明した本発明の実施の形態に係る軽量気泡コンクリートパネルの取付構造によれば、イナズマプレート１２および短冊プレート１４がＬ字型定規アングル４にビス１８により締結される構成であるため、軽量気泡コンクリートパネル１をＬ字型定規アングル４を介して鉄骨梁２に取り付け固定する際の溶接作業の負荷を低減することができる。
【００３５】
なお、イナズマプレート１２と短冊プレート１４とが別体に構成されているため、上層軽量気泡コンクリートパネル１と、下層軽量気泡コンクリートパネル１との間で取り付け位置にずれが生じた場合でも、位置調整を容易に行うことができる。
【００３６】
また、本発明の実施の形態に係る軽量気泡コンクリートパネルの取付構造によれば、ビス１８によって下孔加工とタップ加工を施工する構成であるため、イナズマプレート１２やＬ字型定規アングル４、短冊プレート１４に予め下孔加工を施工したり、タップ加工を施工したりする必要がない。
【００３７】
本実施の形態では、点溶接により短冊プレート１４をＬ字型定規アングル４に仮止めする構成でも良い。当該構成によれば、点溶接であるため、高い作業熟練度は必要ない。したがって、短冊プレート１４をＬ字型定規アングル４に精度よく溶接固定する必要がある従来の構成に比べて、溶接作業の負担を低減できる。
【００３８】
本実施の形態では、イナズマプレート１２側からビス１８をねじ込む構成としたが、短冊プレート１４側からビス１８をねじ込む構成としても良い。
【００３９】
本実施の形態では、ビス１８はタッピングビスとして構成されているとしたが、ビス１８は通常のネジとして構成されていても良い。この場合、イナズマプレート１２やＬ字型定規アングル４、短冊プレート１４に予め下孔加工およびタップ加工を施工しておけば良い。
【００４０】
本実施の形態では、イナズマプレート１２とＬ字型定規アングル４との間、短冊プレート１４とＬ字型定規アングル４との間、および、短冊プレート１４と自重受けプレート１６との間には、溶接施工していないが、溶接施工しても良い。この場合、イナズマプレート１２および短冊プレート１４がビス１８でＬ字型定規アングル４に締結されているため、高い溶接精度は必要ない。したがって、高い作業熟練度は必要ないため、イナズマプレート１２および短冊プレート１４を溶接によってＬ字型定規アングル４に固定する従来の構成に比べて、溶接作業の負担を低減できる。
【００４１】
本実施の形態では、短冊プレート１４を平板により構成したが、これに限らない。例えば、図７の変形例の短冊プレート２１４に示すように、長手方向に直角な断面形状をハット形に形成する構成や、図８の変形例の短冊プレート３１４に示すように、長手方向に直角な断面形状を扁平逆Ｃ字形に形成する構成としても良い。短冊プレート２１４，３１４は、本発明における「取付プレート」に対応する実施構成の一例である。
【００４２】
短冊プレート２１４は、図７に示すように、凹部の開口がイナズマプレート１２側とは逆側（軽量気泡コンクリートパネル１側）を向くようにＬ字型定規アングル４に取り付けられる。また、短冊プレート３１４は、図８に示すように、幅方向（図８における左右方向）のほぼ中央部に長手方向に沿って形成されたスリット部が、イナズマプレート１２側とは反対側（軽量気泡コンクリートパネル１側）を向くようにＬ字型定規アングル４に取り付けられる。
【００４３】
これにより、当該凹部内あるいは当該スリット部内にビス１８の頭部１８ａあるいは切刃部１８ｃの先端部を収容することができる。これにより、ビス１８と軽量気泡コンクリートパネル１との干渉を防止できる。なお、短冊プレート２１４，３１４は、短冊プレート１４に比べて軽量化を図りながらも強度の向上を図ることができる。凹部およびスリット部は、本発明における「凹部」に対応する実施構成の一例である。
【００４４】
本実施の形態では、短冊プレート１４および自重受けプレート１６が別体の構成としたが、図９の変形例の取付金具４１０に示すように、短冊プレート４１４が自重受け部４１６を有する構成としても良い。短冊プレート４１４が自重受け部４１６を有する構成は、本発明における「自重受けプレートは、取付プレートに一体に構成されている」態様に対応する実施構成の一例である。
【００４５】
自重受け部４１６は、短冊プレート４１４の長孔４１４ａが形成された長手方向一端部とは反対側の長手方向他端部（図９における上方側）を、その幅方向（図９における左右方向）のほぼ中央部の一部を残して略直角に切り起こすことにより構成されている。
【００４６】
さらに、この実施の形態において、例えば、図５および図６の変形例の取付金具１１０に示すように、イナズマプレート１１２を、幅方向（図６の左右方向）のほぼ中央部に長手方向に沿うように構成された膨出部を有する略ドーム状にすると良い。
このとき、図５及び図６に示すように、自重受け部５１６を有する短冊プレート５１４の上側部分に室内側を向いた凸条部が形成された短冊プレート５１４により下層パネルに取付けられるとともに、その下層パネルの壁面と面一に上層パネルが取り付けられるようになると、パネルが室外方向に凸条部の高さ分移動した状態で定規アングル４に取り付けられるためクリップＣＬＰがパネル壁面と干渉しなくなり、さらに好ましい。
【００４７】
このとき、短冊プレート１４をＬ字型定規アングル４に仮止めするためのクリップＣＬＰをイナズマプレート１１２の膨出部内に収容することができる。これにより、パネル取付後は、クリップＣＬＰは、図５に示すように、取付金具内に収容されるようになる。
【００４８】
また、クリップＣＬＰもビス１８によってイナズマプレート１１２、Ｌ字型定規アングル４および短冊プレート５１４と共に共締めする構成とすれば、クリップＣＬＰの脱落を防止することができる。クリップＣＬＰをイナズマプレート１１２の膨出部内に収容する構成は、本発明における「仮止め部材を収容可能に構成されている」態様に該当する。
【００４９】
当該構成によれば、溶接作業を行うことなく軽量気泡コンクリートパネル１を鉄骨梁２に取り付け固定することができる。これにより、溶接作業による負荷を低減することができる。なお、イナズマプレート１１２、Ｌ字型定規アングル４および短冊プレート４１４をビス１８で締結する際、あるいは、締結した後に、イナズマプレート１１２とＬ字型定規アングル４との間や短冊プレート５１４とＬ字型定規アングル４との間に溶接施工しても良い。
【００５０】
この場合の溶接施工には高い溶接精度を必要としないため、イナズマプレート１１２および短冊プレート５１４を溶接によってＬ字型定規アングル４に固定する従来の構成に比べて、溶接作業の負担を低減できる。
【００５１】
本実施形態は、本発明を実施するための形態の一例を示すものである。したがって、本発明は、本実施形態の構成に限定されるものではない。
【符号の説明】
【００５２】
１        軽量気泡コンクリートパネル
２        鉄骨梁（建物躯体）
４        Ｌ字型定規アングル（下地鋼材）
１０      取付金具
１２      イナズマプレート
１４      短冊プレート（取付プレート）
１４ａ    長孔
１６      自重受けプレート（自重受けプレート）
１８      ビス（ネジ部材）
１８ａ    頭部
１８ｂ    ネジ部
１８ｃ    切刃部
２２      第１部分
２２ａ    長孔
２４      第２部分
３２      当接部
３４      取付部
３５      取付部
１１０    取付金具
１１２    イナズマプレート
２１０    取付金具
２１４    短冊プレート（取付プレート）
２１０    取付金具
３１４    短冊プレート（取付プレート）
４１０    取付金具
４１４    短冊プレート（取付プレート）
４１６    自重受け部（自重受けプレート）
ＢＬＴ１  ボルト
ＢＬＴ２  ボルト
ＣＬＰ    クリップ
【図１】
2015232219.tif 000003
【図２】
2015232219.tif 000004
【図３】
2015232219.tif 000005
【図４】
2015232219.tif 000006
【図５】
2015232219.tif 000007
【図６】
2015232219.tif 000008
【図７】
2015232219.tif 000009
【図８】
2015232219.tif 000010
【図９】
2015232219.tif 000011